(57)【要約】【課題】生産性を有し簡易に製品に加工することができるレンティキュラーレンズを有する部材及びこの部材を使用したキーホルダーなどの加工製品を提供する。【解決手段】レンティキュラーレンズを有する部材１０は、レンティキュラーレンズ１１、レンティキュラーレンズ１１の裏面に印刷された画像１２、重合方式としての両面粘着透明シート１３及び透明アクリル板１４を構成としており、レンティキュラーレンズ１１の裏面と、透明アクリル板１４の表面が、両面粘着透明シート１３で一体的になるように貼りつけられて形成されている。レンティキュラーレンズを有する部材１０は、レンティキュラーレンズ１１の裏面に印刷された画像１２を含む予め定められた領域Ｒを有しており、この領域Ｒが、カッターで切り取られ、切り取られた領域を加工することにより、キーホルダーなどの加工製品として形成される。【選択図】図１
0003216784.tif 000002
【実用新案登録請求の範囲】
【請求項１】
シート状のレンティキュラーレンズと、
前記レンティキュラーレンズの裏面に印刷された画像と、
透明アクリル板と、を有し、
前記裏面に画像が印刷されたレンティキュラーレンズの前記裏面と、前記透明アクリル板の表面が、重合方式を用いて一体的になるように貼りつけられて形成されており、
前記裏面に画像が印刷されたレンティキュラーレンズの表面からの前記画像の視認は、前記視認の方向に応じて変化し、または３次元画像となるように形成されていることを特徴とするレンティキュラーレンズを有する部材。
【請求項２】
請求項１に記載のレンティキュラーレンズを有する部材を用いて形成される加工製品であって、
前記レンティキュラーレンズを有する部材は、レンティキュラーレンズの裏面に印刷された画像を含む予め定められた領域がカッターで切り取られ、前記カッターで切り取られた領域を加工し製品として形成されることを特徴とする加工製品。
【請求項３】
前記製品は、キーホルダーまたは置物であることを特徴とする請求項２に記載の加工製品。
【考案の詳細な説明】
【技術分野】
【０００１】
本考案は、レンティキュラーレンズを有する部材及び加工製品に関する。
【背景技術】
【０００２】
画像データを専用ソフトで合成し、この合成データを、レンティキュラーレンズを通して見ることにより、絵柄の立体感や動き、変化の効果を見ることができる技術が開発されている。例えば、立体画像や、見る方向によって表示内容が切り替わる印刷物として、レンティキュラーレンズと視差画像とを組み合わせたレンティキュラー印刷物が知らており、このレンティキュラー印刷物は、紙に視差画像を印刷し、半円柱形のレンズが平行に配置されたレンティキュラーレンズを貼り合わせ製造される。
【先行技術文献】
【特許文献】
【０００３】
【特許文献１】特開２００３−２６２９２９号公報
【考案の概要】
【考案が解決しようとする課題】
【０００４】
上記のとおりレンティキュラーは、シート状のレンティキュラーレンズを用いて、見る角度によって絵柄が変化したり、立体感が得られたりする印刷物として用いられているのが一般的である。このような機能を有するレンティキュラーレンズを用いた加工製品として、簡単に且つ安価に製造ができるものが求められていた。
【０００５】
本考案は、こうした点に鑑みてなされたものであり、生産性を有し簡易に製品に加工することができるレンティキュラーレンズを有する部材及びこの部材を使用したキーホルダー、置物などの加工製品を提供するものである。
【課題を解決するための手段】
【０００６】
上記課題を解決するために、本考案に係るレンティキュラーレンズを有する部材は、シート状のレンティキュラーレンズと、前記レンティキュラーレンズの裏面に印刷された画像と、透明アクリル板と、を有し、前記裏面に画像が印刷されたレンティキュラーレンズの前記裏面と前記透明アクリル板の表面が、重合方式を用いて一体的になるように貼りつけられて形成されており、前記裏面に画像が印刷されたレンティキュラーレンズの表面からの前記画像の視認は、前記視認の方向に応じて変化し、または３次元画像となるように形成されていることを特徴とする。
【０００７】
上記課題を解決するために、本考案に係る加工製品は、上記のレンティキュラーレンズを有する部材を用いて形成される加工製品であって、前記レンティキュラーレンズを有する部材は、レンティキュラーレンズの裏面に印刷された画像を含む予め定められた領域をカッターで切り取られ、前記カッターで切り取られた領域を加工し製品として形成されることを特徴とする。また、本考案に係る加工製品の態様について、前記製品は、キーホルダーまたは置物であるがこれらに限定されない。
【考案の効果】
【０００８】
本考案によれば、生産性を有し簡易に製品に加工することができるレンティキュラーレンズを有する部材及びこの部材を使用したキーホルダー、置物などの加工製品を提供するものである。
【図面の簡単な説明】
【０００９】
【図１】実施形態のレンティキュラーレンズを有する部材の一例を示す模式図である。
【図２】レンティキュラーレンズを有する部材を用いた加工製品の一例であるキーホルダーを示す参考図である。
【考案を実施するための形態】
【００１０】
以下、本考案のレンティキュラーレンズを有する部材及びこの部材を用いた加工製品について図１及び図２を用いて説明する。なお、本考案に用いるレンティキュラーレンズは、画像に描かれるイメージの立体感、イメージが変化する様子、切替る様子を表現できるという効果を有しており、レンティキュラーレンズを材料として専用の画像処理による印刷により作り上げるグラフィック表現を可能としている。また、レンティキュラーレンズは、塩化ビニール、ポリプロピレン、ポリエチレンテレフタレート、アクリルなどの樹脂を素材とし形成されている。
【００１１】
まず、本考案の一例である実施形態のレンティキュラーレンズを有する部材１０について説明する。レンティキュラーレンズを有する部材１０は、シート状のレンティキュラーレンズ１１、レンティキュラーレンズ１１の裏面に印刷された画像１２、重合方式の一例である両面粘着透明シート１３及び透明アクリル板１４を構成としている。なお、この例において、重合方式には、両面粘着透明シート１３を用いているが、これに限定されず液体のりなどを用いてもよく、適宜最適な重合方式を選択すればよい。
【００１２】
レンティキュラーレンズを有する部材１０は、図１（ａ）に示すように画像１２が印刷されたレンティキュラーレンズ１１の裏面と、透明アクリル板１４の表面が、重合方式の一例である両面粘着透明シート１３を用いて一体的になるように貼りつけられて形成されている。このように構成されているレンティキュラーレンズを有する部材１０は、裏面に画像１２が印刷されているレンティキュラーレンズ１１の表面からの視認は、方向に応じて変化し、また３次元画像となるように形成されている。
【００１３】
本考案のレンティキュラーレンズを有する部材１０は、簡易な構成であり生産性を有しており、以下に述べるキーホルダー、置物などの加工製品を簡易に効率よく生産することができる優れた部材である。
【００１４】
次に、レンティキュラーレンズを有する部材を用いて形成される加工製品について説明する。レンティキュラーレンズを有する部材１０は、図１（ｂ）に示すようにレンティキュラーレンズ１１の裏面に印刷された画像１２を含む予め定められた領域Ｒを有しており、この領域Ｒが、カッター、例えばレーザーカッターで切り取られ、切り取られた領域を加工することにより、例えば、キーホルダー、置物などの製品として形成されることになる。なお、領域Ｒの切り取りは、カッターに限定されず、例えばダイカット、つまりさまざまな形に打ち抜く方法でもよく、適宜最適な方法を採用すればよい。
【００１５】
画像１２は、複数の画像１２が、レンティキュラーレンズ１１に印刷されており、これら複数の画像１２に対応するように複数の領域Ｒが設けられている。このような領域Ｒが切り取られた加工製品の一例として、図２に示すキーホルダー１００が形成される。キーホルダー１００は、図２（ａ）及び図２（ｂ）に示すように視認の方向により画像が変化する構成となっている。
【００１６】
なお、レンティキュラーレンズを有する部材１０を用いた加工製品は、キーホルダー１００、置物などの製品に限定されず、適宜最適な製品を選択し加工製品とすればよい。
【００１７】
上記の特徴を有するレンティキュラーレンズを有する部材は、簡易な製造工程で生産することができ、多様な製品に対応することができる優れた部材であり、このような部材を用いてユーザーニーズに対応できる小物製品などの多様な加工製品を加工生産することができる。
【００１８】
以上、本考案の有する特徴及び優れた点を上記実施形態に記載したが、本考案は、本願の実用新案登録請求の範囲で使用されている言葉を広く一般的な意味に拡張して実施することができる。
【００１９】
また、本考案のレンティキュラーレンズを用いた部材及びこの部材を用いた加工製品は、実施形態に限定されず、多様な実施形態が可能であり、それらについて本実施形態と異なる形態による実施は、本考案の技術的範囲に含まれる。
【符号の説明】
【００２０】
１０    レンティキュラーレンズを有する部材
１１    レンティキュラーレンズ
１２    画像
１３    両面粘着透明シート
１４    透明アクリル板
１００  キーホルダー
Ｒ      領域
【図１】
0003216784.tif 000003
【図２】
0003216784.tif 000004